(57)【要約】  本発明は、熱を均一に放出して暖房または冷房効率を向上させることができるようにする冷暖房パネルに関するもので、周りが塞がるように多数の屈曲板が直交方向に積層具備され、各々の屈曲板の間には屈曲拡散通路が形成されている放熱部と、前記各屈曲拡散通路に流体が拡散移動されるように流体を供給、排出させる流体供給・排出手段とを含むことを特徴とする。
2010500532.tif 000002
【特許請求の範囲】
【請求項１】
周りが塞がるように多数の屈曲板が直交方向に積層具備され、各々の屈曲板の間には屈曲拡散通路が形成されている放熱部と、
前記各屈曲拡散通路に流体が拡散移動されるように流体を供給、排出させる流体供給・排出手段とを含むことを特徴とする冷暖房パネル。
【請求項２】
前記各々の屈曲拡散通路は、
各々の上、下部に位置した屈曲板に多数形成され、相互直角に交差するように連通される上、下部凹部と、
各々の上、下部に位置した屈曲板の周りを塞ぐ周囲遮断板とを含むことを特徴とする特許請求の範囲第１項に記載の冷暖房パネル。
【請求項３】
前記屈曲拡散通路が単一に具備されており、
前記流体供給・排出手段は、前記単一の屈曲拡散通路で相互反対の位置に具備された管を介して流体が供給されて拡散された後、排出されるようにする流体供給、排出管で構成されていることを特徴とする特許請求の範囲第２項に記載の冷暖房パネル。
【請求項４】
前記流体供給管の流体移動断面積は、
前記各々の上部凹部の流体移動断面積の合計より大きく形成されていることを特徴とする特許請求の範囲第３項に記載の冷暖房パネル。
【請求項５】
前記流体供給管は、一番前方に位置した下部凹部の一側に具備され、
前記流体排出管は、一番他側に位置した上部凹部の後方に具備されていることを特徴とする特許請求の範囲第３項に記載の冷暖房パネル。
【請求項６】
前記流体供給管の高さより流体排出管の高さを相対的に高く具備することを特徴とする特許請求の範囲第３項に記載の冷暖房パネル。
【請求項７】
前記屈曲拡散通路が二つ以上に具備されており；
前記流体供給・排出手段は、一番下部に位置された屈曲拡散通路に具備され、管を介して流体が供給される流体供給管と、各層の屈曲拡散通路に流体が拡散移動されることができるように形成された流体移動ホール、及び一番上部に位置された屈曲拡散通路に具備され、管を介して流体が排出される流体排出管から構成されていることを特徴とする特許請求の範囲第２項に記載の冷暖房パネル。
【請求項８】
前記各上部凹部の流体移動断面積が前記各下部凹部の流体移動断面積より小さく形成されていることを特徴とする特許請求の範囲第３項または第６項に記載の冷暖房パネル。
【請求項９】
前記各々の屈曲拡散通路を構成する上部凹部の流体移動断面積の合計が、前記各々の下部凹部の流体移動断面積の合計より小さく形成されていることを特徴とする特許請求の範囲第８項に記載の冷暖房パネル。
【請求項１０】
前記放熱部の上部に具備され、一番上部に位置した屈曲板との間に多数の陥没空間を形成する上板を含むことを特徴とする特許請求の範囲第１項ないし第７項のいずれかに記載の冷暖房パネル。
【請求項１１】
前記上部に形成された陥没空間には、発熱量を高めることができるように蓄熱材が更に具備されていることを特徴とする特許請求の範囲第１０項に記載の冷暖房パネル。
【請求項１２】
前記放熱部の下部に具備され、一番下部に位置した屈曲板との間に多数の陥没空間を形成する下板を含むことを特徴とする特許請求の範囲第１項ないし第７項のいずれかに記載の冷暖房パネル。
【請求項１３】
前記下部に形成された陥没空間には断熱材が更に具備されていることを特徴とする特許請求の範囲第１２項に記載の冷暖房パネル。
【請求項１４】
多数の横形凹部が具備された屈曲板と、
前記屈曲板の上部におかれる上板と、
前記屈曲板と上板の周りを塞ぐ周囲遮断板と、
前記屈曲板と上板の間に具備され、横形凹部を相互連通させる流体連通手段と、
前記周囲遮断板に具備され、屈曲板の横形凹部に流体が拡散移動され、排出されるように具備された流体供給、排出管とで構成されていることを特徴とする冷暖房パネル。
【請求項１５】
前記屈曲板は、
単一の板が折り曲げられて構成されていることを特徴とする特許請求の範囲第１４項に記載の冷暖房パネル。
【請求項１６】
前記屈曲板は、
前記横形凹部が陥没するように具備され、下面が平坦面で構成されていることを特徴とする特許請求の範囲第１４項に記載の冷暖房パネル。
【請求項１７】
前記流体連通手段は、
前記横形凹部の間に形成された各横形凸部に一つ以上形成された陥没溝で構成されていることを特徴とする特許請求の範囲第１４項ないし第１６項のいずれかに記載の冷暖房パネル。
【請求項１８】
前記各横形凸部に具備された陥没溝は、多数に形成され；
前記各横形凸部に多数形成された各陥没溝は、隣り合う横形凸部に具備された各陥没溝に対して食い違いに具備されていることを特徴とする特許請求の範囲第１７項に記載の冷暖房パネル。
【請求項１９】
前記各陥没溝は、
縦方向の長溝に形成されていることを特徴とする特許請求の範囲第１７項に記載の冷暖房パネル。
【請求項２０】
前記各横形凸部に形成された各陥没溝の横断面積の合計は、
前記各横形凹部一つの縦断面積より小さく具備されていることを特徴とする特許請求の範囲第１７項に記載の冷暖房パネル。
【請求項２１】
前記流体連通手段は、
前記横形凹部の間に形成された各横形凸部が密着される上板下面の多数の横列に各々形成される一つ以上の上部陥没溝で構成されていることを特徴とする特許請求の範囲第１４項ないし第１６項のいずれかに記載の冷暖房パネル。
【請求項２２】
前記上板下面の多数の横列に各々形成される各上部陥没溝は、多数に形成されており；
前記多数の横列に各々形成される各上部陥没溝は、隣り合う横列に具備された各上部陥没溝に対して食い違いに具備されていることを特徴とする特許請求の範囲第２１項に記載の冷暖房パネル。
【請求項２３】
前記各陥没溝は、
縦方向の長溝に形成されていることを特徴とする特許請求の範囲第２１項に記載の冷暖房パネル。
【請求項２４】
前記上板の各横列に形成された各上部陥没溝の横断面積の合計は、
前記各横形凹部一つの縦断面積より小さく具備されていることを特徴とする特許請求の範囲第２１項に記載の冷暖房パネル。
【請求項２５】
前記流体連通手段は、
前記横形凹部の間に形成された各横形凸部を貫通する一つ以上の流体通路で構成されていることを特徴とする特許請求の範囲第１４項ないし第１６項のいずれかに記載の冷暖房パネル。
【請求項２６】
前記各横形凸部に貫通具備された各流体通路は、多数に形成され；
前記各横形凸部に多数形成された各流体通路は、隣り合う横形凸部に具備された各流体通路に対して食い違いに具備されていることを特徴とする特許請求の範囲第２５項に記載の冷暖房パネル。
【請求項２７】
前記各横形凸部に多数形成された各流体通路の横断面積の合計は、
前記各横形凹部一つの縦断面積より小さく具備されていることを特徴とする特許請求の範囲第２５項に記載の冷暖房パネル。
【請求項２８】
前記屈曲板の下部には、
下板が更に具備されていることを特徴とする特許請求の範囲第１４項または第１５項に記載の冷暖房パネル。
【発明の詳細な説明】
【技術分野】
【０００１】
本発明は、冷暖房パネルに関するもので、より具体的には、熱を均一に放出して暖房または冷房効率を向上させることができるようにする冷暖房パネルに関するものである。
【背景技術】
【０００２】
一般的に、室内空間を暖房する場合、いろいろな方式が使用されているが、床から熱源を供給して室内空間を暖房する方式（以下、“床暖房方式”と称する）がもっとも広く使用されている。
【０００３】
従来の床暖房方式は、床を施工する過程で、温水が移動する円形管であるパイプ型屈曲配管（以下、“屈曲パイプ配管”と称する）を床に埋設することによって、室内空間を暖房する方式がもっとも広く使用されているものである。
【０００４】
前記のように施工された屈曲パイプ配管に温水を供給することになると、屈曲パイプ配管の表面では発熱が生じることになり、発熱された熱が床面に伝導されることによって、室内空間を暖房することができるのである。
【０００５】
ところが、前記屈曲パイプ配管を介して暖房をする過程では、配管を通過する温水の熱交換を介して屈曲パイプ配管でだけ熱が発生されることによって、床面では温度偏差が発生することになり、全体的な暖房効率が低下するという問題点を有していた。
【０００６】
そして、従来の屈曲パイプ配管は、室内空気を暖房する用途にしか使用することができないという問題点も有していた。
【発明の概要】
【発明が解決しようとする課題】
【０００７】
そこで、本発明は、前記のような従来の諸般問題点を解消するために発明されたもので、室内の床面で均一に熱が発散され得るようにすることによって、室内全体の暖房または冷房効率を最大に向上させることのできる冷暖房パネルを提供することを目的とする。
【０００８】
また、温水や温風または冷風の流体を介して、暖房は勿論、冷房もできるようにするという他の目的もある。
【０００９】
また、単位面積当りの発熱効果を最大に向上させることができるようにするというまた他の目的もある。
【００１０】
また、前記流体供給、排出管を適正な位置に装着することによって、流体の拡散効率を最大に向上させることができるようにするという目的もある。
【００１１】
また、アパートなどの共同住宅で層間騒音を遮断することができるようにするというまた他の目的もある。
【００１２】
また、上部に具備される陥没空間に蓄熱材を具備することによって、発熱効果を更に向上させることができるようにするというまた他の目的もある。
【００１３】
また、下部に具備される陥没空間に断熱材を具備することによって、熱損失を最少化することができ、共同住宅で層間騒音を防止することができるようにするというまた他の目的もある。
【００１４】
また、屈曲拡散通路に流体のうち温水または冷媒が移動する場合、上部に空気層が形成されるのを防止することができるようにするというまた他の目的もある。
【００１５】
また、屈曲拡散通路に流体のうち温水や冷媒が供給されない場合、既に満たされた温水または冷媒の水位が低くなるのを防止することができるようにするというまた他の目的もある。
【００１６】
また、冷暖房パネルを床に敷く過程だけを介して冷暖房パネルを迅速に施工できるようにするというまた他の目的もある。
【００１７】
また、冷暖房パネルの内部空間に上部空間なしに流体が均一に満たされるようにすることによって、放熱効果をさらに高めることができるようにするという目的もある。
【００１８】
また、冷暖房パネル内に満たされた流体の滞留時間を長くすることによって、放熱効果を更に高めることができるようにするというまた他の目的もある。
【課題を解決するための手段】
【００１９】
前記のような目的を達成するための本発明は、周りが塞がるように多数の屈曲板が直交方向に積層具備され、各々の屈曲板の間には屈曲拡散通路が形成されている放熱部と、前記各屈曲拡散通路に流体が拡散移動されるように流体を供給、排出させる流体供給・排出手段とを含むことを特徴とする。
【００２０】
また、前記各々の屈曲拡散通路は、各々の上、下部に位置した屈曲板に多数形成され、相互直角に交差するように連通される上、下部凹部と、各々の上、下部に位置した屈曲板の周りを塞ぐ周囲遮断板とを含むことを特徴とする。
【００２１】
また、前記屈曲拡散通路が単一に具備されており、前記流体供給・排出手段は、前記単一の屈曲拡散通路で相互反対の位置に具備された管を介して流体が供給されて拡散された後、排出されるようにする流体供給、排出管で構成されていることを特徴とする。
【００２２】
また、前記流体供給管の流体移動断面積は、前記各々の上部凹部の流体移動断面積の合計より大きく形成されていることを特徴とする。
【００２３】
また、前記流体供給管は、一番前方に位置した下部凹部の一側に具備され、前記流体排出管は、一番他側に位置した上部凹部の後方に具備されていることを特徴とする。
【００２４】
また、前記流体供給管の高さより流体排出管の高さを相対的に高く具備することを特徴とする。
【００２５】
また、前記屈曲拡散通路が二つ以上に具備されており；前記流体供給・排出手段は、一番上部に位置された屈曲拡散通路に具備され、管を介して流体が供給される流体供給管と、各層の屈曲拡散通路に流体が拡散移動されることができるように形成された流体移動ホール、及び一番下部に位置された屈曲拡散通路に具備され、管を介して流体が排出される流体排出管から構成されていることを特徴とする。
【００２６】
また、前記各上部凹部の流体移動断面積が前記各下部凹部の流体移動断面積より小さく形成されていることを特徴とする。
【００２７】
また、前記各々の屈曲拡散通路を構成する上部凹部の流体移動断面積の合計が、前記各々の下部凹部の流体移動断面積の合計より小さく形成されていることを特徴とする。
【００２８】
また、前記放熱部の上部に具備され、一番上部に位置した屈曲板との間に多数の陥没空間を形成する上板を含むことを特徴とする。
【００２９】
また、前記上部に形成された陥没空間には、発熱量を高めることができるように蓄熱材が更に具備されていることを特徴とする。
【００３０】
また、前記放熱部の下部に具備され、一番下部に位置した屈曲板との間に多数の陥没空間を形成する下板を含むことを特徴とする。
【００３１】
また、前記下部に形成された陥没空間には断熱材が更に具備されていることを特徴とする。
【００３２】
また、多数の横形凹部が具備された屈曲板と、前記屈曲板の上部におかれる上板と、前記屈曲板と上板の周りを塞ぐ周囲遮断板と、前記屈曲板と上板の間に具備され、横形凹部を相互連通させる流体連通手段と、前記周囲遮断板に具備され、屈曲板の横形凹部に流体が拡散移動され、排出されるように具備された流体供給、排出管とで構成されていることを特徴とする。
【００３３】
また、前記屈曲板は、単一の板が折り曲げられて構成されていることを特徴とする。
【００３４】
また、前記屈曲板は、前記横形凹部が陥没するように具備され、下面が平坦面で構成されていることを特徴とする。
【００３５】
また、前記流体連通手段は、前記横形凹部の間に形成された各横形凸部に一つ以上形成された陥没溝で構成されていることを特徴とする。
【００３６】
また、前記各横形凸部に具備された陥没溝は、多数に形成され；前記各横形凸部に多数形成された各陥没溝は、隣り合う横形凸部に具備された各陥没溝に対して食い違いに具備されていることを特徴とする。
【００３７】
また、前記各陥没溝は、縦方向の長溝に形成されていることを特徴とする。
【００３８】
また、前記各横形凸部に形成された各陥没溝の横断面積の合計は、前記各横形凹部一つの縦断面積より小さく具備されていることを特徴とする。
【００３９】
また、前記流体連通手段は、前記横形凹部の間に形成された各横形凸部が密着される上板下面の多数の横列に各々形成される一つ以上の上部陥没溝で構成されていることを特徴とする。
【００４０】
また、前記上板下面の多数の横列に各々形成される各上部陥没溝は、多数に形成されており；前記多数の横列に各々形成される各上部陥没溝は、隣り合う横列に具備された各上部陥没溝に対して食い違いに具備されていることを特徴とする。
【００４１】
また、前記各陥没溝は、縦方向の長溝に形成されていることを特徴とする。
【００４２】
また、前記上板の各横列に形成された各上部陥没溝の横断面積の合計は、前記各横形凹部一つの縦断面積より小さく具備されていることを特徴とする。
【００４３】
また、前記流体連通手段は、前記横形凹部の間に形成された各横形凸部を貫通する一つ以上の流体通路で構成されていることを特徴とする。
【００４４】
また、前記各横形凸部に貫通具備された各流体通路は、多数に形成され；前記各横形凸部に多数形成された各流体通路は、隣り合う横形凸部に具備された各流体通路に対して食い違いに具備されていることを特徴とする。
【００４５】
また、前記各横形凸部に多数形成された各流体通路の横断面積の合計は、前記各横形凹部一つの縦断面積より小さく具備されていることを特徴とする。
【００４６】
また、前記屈曲板の下部には、下板が更に具備されていることを特徴とする。
【発明の効果】
【００４７】
本発明は、室内の床面で均一に熱が発散されるようにして、室内全体の暖房または冷房効率を最大に向上させることのできる冷暖房パネルを提供する効果がある。
【００４８】
また、温水や温風または冷風の流体を介して、暖房は勿論、冷房も可能にすることによって、互換性を有する冷暖房パネルを提供するという効果もある。
【００４９】
また、前記流体供給、排出管を適正な位置に装着することで、流体の拡散効率を向上させることによって、冷房または暖房の効果を更に高めることができるという効果もある。
【００５０】
また、単位面積当りの発熱効果を最大に向上させることによって、燃料の消耗を最少に減らすことができる冷暖房パネルを提供するという効果もある。
【００５１】
また、脱付着を容易にして、施工を簡便にすることによって、セメントまたはフローリングは勿論、ベッド床にも施工が可能な冷暖房パネルを提供することができるという効果もある。
【００５２】
また、上部の陥没空間に蓄熱材を具備して熱損失を最少に減らすことによって、燃料を最大に節約することのできる冷暖房パネルを提供することができるという効果もある。
【００５３】
また、下部の陥没空間に断熱材を具備して熱損失を最少に減らすことは勿論、層間騒音を最少に減らすことができるという効果もある。
【００５４】
また、屈曲拡散通路に温水または冷媒が拡散される過程で、空気層が形成されないようにしながら、温水が均一に拡散されるようにすることによって、放熱効果を最大に向上させることができる冷暖房パネルを提供するという効果もある。
【００５５】
また、屈曲拡散通路に温水が供給されない場合、既に満たされた温水の水位が低くなるのを防止することによって、ボイラーの再稼動時、初期気泡の発生を最少に減らすことができるという効果もある。
【００５６】
また、マット形の冷暖房パネルを提供することによって、床の施工なしでも使用が可能な効果もある。
【００５７】
また、冷暖房パネルの内部空間に上部空間なしに流体が均一に拡散されて満たされるようにして、放熱効果を高めることによって、冷暖房効果を極大化することができるという効果もある。
【００５８】
また、冷暖房パネル内に満たされた流体の滞留時間を長くして、放熱効果をより高めることによって、冷暖房効果を更に向上させることができるという効果もある。
【図面の簡単な説明】
【００５９】
【図１】本発明による第１実施例の冷暖房パネルを示した斜視図である。
【図２】本発明による第１実施例の冷暖房パネルを示した分解斜視図である。
【図３】図１のＡ−Ａ線断面図である。
【図４】本発明による第２実施例の冷暖房パネルを示した斜視図である。
【図５】図４のＢ−Ｂ線断面図である。
【図６】本発明による第３実施例の冷暖房パネルを示した分解斜視図である。
【図７】本発明による第３実施例の冷暖房パネルを示した斜視図である。
【図８】図７のＣ部拡大図である。
【図９】図７のＤ−Ｄ線断面図である。
【図１０】図９のＥ−Ｅ線断面図である。
【図１１】本発明による第４実施例の冷暖房パネルを示した分解斜視図である。
【図１２】本発明による第４実施例の冷暖房パネルを示した斜視図である。
【図１３】図１２のＦ部拡大図である。
【図１４】図１２のＧ−Ｇ線断面図である。
【図１５】図１４のＨ−Ｈ線断面図である。
【図１６】本発明による第５実施例の冷暖房パネルを示した分解斜視図である。
【図１７】本発明による第５実施例の冷暖房パネルを示した斜視図である。
【図１８】図１７のＩ−Ｉ線断面図である。
【図１９】本発明による第６実施例の冷暖房パネルを示した分解斜視図である。
【図２０】本発明による第６実施例の冷暖房パネルを示した斜視図である。
【図２１】図２０のＪ−Ｊ線断面図である。
【図２２】本発明による第７実施例の冷暖房パネルを示した分解斜視図である。
【図２３】本発明による第７実施例の冷暖房パネルを示した斜視図である。
【図２４】図２３のＫ−Ｋ線断面図である。
【発明を実施するための形態】
【００６０】
以下、本発明の好ましい実施例を添付の図面を参照して詳細に説明すると、つぎの通りである。
【００６１】
図１は、本発明による第１実施例の冷暖房パネルを示した斜視図で、図２は、本発明による第１実施例の冷暖房パネルを示した分解斜視図で、図３は、図１のＡ−Ａ線断面図である。
【００６２】
ここで、本発明による第１実施例の冷暖房パネルは、周りが塞がるように多数の屈曲板１１が直交方向に積層具備され、各々の屈曲板１１の間には屈曲拡散通路１２が形成されている放熱部１と、前記各屈曲拡散通路１２に流体が拡散移動されるように流体を供給、排出させる流体供給・排出手段２とで構成される。
【００６３】
つまり、前記各々の屈曲拡散通路１２は、各々の上、下部に位置した屈曲板１１に多数形成され、相互直角に交差するように連通される上、下部凹部１２１と、各々の上、下部に位置した屈曲板１１の周りを塞ぐ周囲遮断板１２２とを含むものである。前記各々の屈曲板１１と周囲遮断板１２２は、溶接などを介して相互結合されているのである。
【００６４】
そして、前記屈曲拡散通路１２が単一に具備されており、前記流体供給・排出手段２は、前記単一の屈曲拡散通路１２で相互反対の位置に具備された管を介して流体が供給されて拡散された後、排出され得るようにする流体供給、排出管２１，２２で構成される。
【００６５】
従って、前記流体供給管２１と流体排出管２２は、温水や冷媒（プレオンガスなど）または温風や冷風などの流体が供給されることによって、室内空間を暖房したり冷房することができるのである。
【００６６】
また、前記屈曲板１１に形成された凹部１２１は、屈曲板１１の折曲を介して上、下部に交互に形成されるもので、波形（半円形または半楕円形）または角形（三角または四角形）などのいろいろな形状に具備されることができるが、添付の図面では台形の形状を示した。
【００６７】
前記凹部１２１が台形の形状に具備されることによって、上、下部に位置した屈曲板１１の凹部１２１の間には平坦面が形成されることによって、上、下板３，４を容易に装着することができるのは勿論、屈曲板１１と上板３の密着面積を広め、上板３に伝達される熱の伝導率を高めることもできるのである。
【００６８】
また、前記流体供給管２１は、一番前方に横方向に具備された下部凹部１２１の一側に具備され、前記流体排出管２２は、一番他側に縦方向に具備された上部凹部１２１の後方に具備されることによって、流体の拡散効率を最大に向上させることができるのである。
【００６９】
また、前記放熱部１の上部には上板３が更に具備されることによって、前記上板３と上部に位置した屈曲板１１の間には多数の陥没空間５が形成される。
【００７０】
そして、前記上部に形成された陥没空間５には、発熱量を高めることができるように、蓄熱材が更に具備されている。
【００７１】
また、前記放熱部１の下部には下板が更に具備されることによって、前記下板４と下部に位置した屈曲板１１の間には多数の陥没空間５が形成される。
【００７２】
そして、前記下部に形成された陥没空間５には、断熱材が具備されることによって、下部に熱が損失される現象を防止すると同時に、層間騒音を減らすことができるのである。
【００７３】
以下、前記のように構成された第１実施例の冷暖房パネルの作用を説明すると、つぎの通りである。
【００７４】
図１ないし図３に示したように、前記のように構成された冷暖房パネルを床に施工した後、ボイラーを作動させ、放熱部１に具備された屈曲拡散通路１２に流体を投入することになると、流体は屈曲拡散通路１２に相互直交するように具備された凹部１２１に沿って屈曲移動しながら全体的に拡散された後、流体排出管２２を介して排出され、前記流体の投入と排出過程は、ボイラーや冷却装置または温風器と冷風器を介して連続的に進行されるのである。
【００７５】
従って、前記のように屈曲拡散通路１２を流体が移動する過程では、流体が凹部１２１に沿って全体的に拡散移動されることによって、熱が全体的に均一に拡散されるのである。
【００７６】
つまり、流体が屈曲拡散通路１２で全体的に拡散されて分布されることによって、熱が全体的に均一に発散されることになり、室内の暖房または冷房効率を最大に向上させることができるのである。
【００７７】
そして、前記のように屈曲拡散通路１２を流体が移動する過程では、接触面積の広い凹部１２１に流体が全体的に接触することによって、放熱面積が広まることにより、上板を介した発熱効率を最大に向上させることができるのである。
【００７８】
並びに、前記のように構成された冷暖房パネルは、板で構成されていることによって、床への脱付着が容易で、施工が簡便なので、セメント床は勿論、フローリングまたはベッド床などに容易に施工することができるのである。
【００７９】
図４は、本発明による第２実施例の冷暖房パネルを示した斜視図で、図５は図４のＢ−Ｂ線断面図である。
【００８０】
ここで、本発明による第２実施例の冷暖房パネルは、屈曲拡散通路１２と流体供給・排出手段２を除いた他の構成は、前記第１実施例の構成と同一であることを前提とする。
【００８１】
第２実施例の冷暖房パネルを構成する前記屈曲拡散通路１２は、多数に具備されていることを特徴とする。
【００８２】
そして、前記多数に具備されている屈曲拡散通路１２に具備される流体供給・排出手段２は、一番下部に位置した屈曲拡散通路１２に具備され、管を介して流体が供給される流体供給管２１と、各層の屈曲拡散通路１２に流体が拡散移動されるように形成された流体移動ホール２３、及び一番上部に位置した屈曲拡散通路１２に具備され、管を介して流体が排出される流体排出管２２とから構成されるのである。
【００８３】
従って、前記流体供給管２１を介して流体が供給されると、供給された流体は、一番下側の屈曲拡散通路１２から上部まで、具備された屈曲拡散通路１２に連通するように拡散移動されることによって、移動する流体の熱をほとんど回収できるのである。
【００８４】
従って、前記のように多数の屈曲板を多層に具備して屈曲拡散通路の数を増やすことによって、単位面積当りの放熱効果が最大に向上されるのである。
【００８５】
図６は、本発明による第３実施例の冷暖房パネルを示した分解斜視図で、図７は、本発明による第３実施例の冷暖房パネルを示した斜視図で、図８は、図７のＣ部拡大図で、図９は、図７のＤ−Ｄ線断面図で、図１０は、図９のＥ−Ｅ線断面図である。
【００８６】
ここで、本発明による第３実施例の冷暖房パネルは、前記第１実施例の構成をすべて含むことを前提とする。
【００８７】
従って、本発明による第３実施例の冷暖房パネルは、周りが塞がるように多数の屈曲板１１が直交方向に積層具備され、各々の屈曲板１１の間には屈曲拡散通路１２が形成されている放熱部１と、前記各屈曲拡散通路１２に流体が拡散移動されるように流体を供給、排出させる流体供給・排出手段２とで構成された冷暖房パネルを改良したもので、前記各上部凹部１２１の流体移動断面積が各下部凹部１２１の流体移動断面積より小さく形成されていることを特徴とする。
【００８８】
そして、本発明による第３実施例の冷暖房パネルは、温水や冷媒の流体だけを使用するもので、以下第３実施例を説明するにおいて、流体は温水または冷媒に限定する。
【００８９】
また、前記各々の上部凹部１２１の流体移動断面積の合計を、前記各々の下部凹部１２１の流体移動断面積の合計より小さく形成するのである。
【００９０】
つまり、前記各々の上部凹部１２１の流体移動断面積の合計を、前記各々の下部凹部１２１の流体移動断面積の合計より小さく形成する場合、上部凹部１２１の流体移動断面積を減らしたり、上部凹部１２１の数を減らすことによって可能である。
【００９１】
従って、添付の図面では、前記上部凹部１２１の高さを下部凹部１２１の高さより相対的に低く構成することによって、各上部凹部１２１の流体移動断面積を減らした状態を示した。
【００９２】
また、前記流体供給・排出手段２を構成する流体供給管２１は、一番前方に横方向に具備された下部凹部１２１の一側に具備され、前記流体供給・排出手段２を構成する流体排出管２２は、一番他側に縦方向に具備された上部凹部１２１の後方に具備されている。
【００９３】
また、前記流体供給管２１の高さより流体排出管２２の高さを相対的に高く具備することによって、屈曲拡散通路１２に流体が供給されない場合、既に満たされた流体の水位が低くなるのを防止して、ボイラーまたは冷却装置の再稼動初期に気泡が発生する現象を最少化することができるのである。
【００９４】
一方、前記放熱部１の上、下部には、上、下板３，４を更に具備することによって、マット形の冷暖房パネルを提供することができるのである。
【００９５】
以下、前記のように構成された本発明による第３実施例の冷暖房パネルの作用を説明すると、つぎの通りである。
【００９６】
図６ないし図１０に示したように、前記のように構成された冷暖房パネルを床に施工した後、ボイラーを作動させて屈曲拡散通路１２に流体を投入させることになると、流体は、屈曲拡散通路１２に満たされて拡散された後、流体排出管２２を介して排出され、前記流体の投入と排出過程は、ボイラーまたは冷却装置の作動を介して連続的に進行される。
【００９７】
これを具体的に説明すると、下屈曲板１１の前方に横方向に具備された下部凹部１２１の一側から流体が供給されると、供給された流体は、屈曲拡散通路１２で拡散された後、上屈曲板１１の一番他側に縦方向に具備された上部凹部１２１の後方に具備された流体排出管２２を介して排出されるのである。
【００９８】
前記のように流体が拡散される過程では、前記各々の上部凹部１２１の横断面流体移動断面積の合計が各々の下部凹部１２１の縦断面流体移動断面積の合計より小さく形成されることによって、各上部凹部１２１の上部に空気層が形成されることを防止することができるのである。
【００９９】
つまり、流体供給管２１に温水または冷媒が供給されると、供給された流体は、重力によって下部凹部１２１に満たされる。
【０１００】
次に、流体が継続して供給されると、流体は各々の上部凹部１２１の境界部に衝突する過程を介して上部凹部１２１に案内される。
【０１０１】
次に、上部凹部１２１に案内される流体は、流体供給管２１から一番近接した上部凹部１２１から一番遠い上部凹部１２１に満たされながら、流体排出管２２に排出される。
【０１０２】
つまり、前記のように供給された流体が上部凹部１２１に満たされる過程では、流体は各々の下部凹部１２１を通過して満たされる。言い換えて、流体供給管２１から供給される流体は、供給水圧によって屈曲拡散通路１２に満たされながら、既に投入された流体を押すことになる。よって、供給された流体は各々の下部凹部１２１と各々の上部凹部１２１を通過しながら満たされることになる。
【０１０３】
従って、前記のように各々の上部凹部１２１の流体移動断面積の合計を、各々の下部凹部１２１の流体移動断面積の合計より小さくすると、供給水圧によって押されて移動する流体は、下部凹部１２１を通過する時より上部凹部１２１を通過する場合、圧力が上昇される。つまり、上部凹部１２１の全体流体移動断面積が下部凹部１２１の全体流体移動断面積より小さいことによって、上部凹部１２１に流体が通過する場合、圧力が上昇される。つまり、各々の下部凹部１２１と各々の上部凹部１２１には相対的な圧力差が生じることになる。従って、上部凹部１２１を移動する流体の圧力が下部凹部１２１を移動する流体の圧力より高くなる。
【０１０４】
よって、各上部凹部１２１に満たされる上昇された圧力を有した流体は、各上部凹部１２１の空間すべてに満たされるのである。従って、流体が投入されて流体排出管２２から排出される過程で、常に各々の上部凹部１２１には流体が満たされることになるのである。
【０１０５】
補充説明すると、供給される流体と排出される流体の量は常に同一だが、上述したように、流体は下部凹部１２１を通過する時より上部凹部１２１を通過する場合圧力が上昇される。従って、各上部凹部１２１を通過する流体は、圧力を有することになることによって、各上部凹部１２１の空気が溜まった空間を満たしながら拡散されるのである。
【０１０６】
そして、空間に溜まっていた空気は、流体の押す力によって気泡化されて排出口から排出される。つまり、空気気泡の排出は、屈曲拡散通路に流体が満たされていない状態である初期稼動時にだけ排出されるのである。
【０１０７】
従って、前記上部凹部１２１の上部に空気層が形成されるのを防止することによって、暖房効率を最大に向上させることができるのである。
【０１０８】
図１１は、本発明による第４実施例の冷暖房パネルを示した分解斜視図で、図１２は、本発明による第４実施例の冷暖房パネルを示した斜視図で、図１３は、図１２のＦ部拡大図で、図１４は、図１２のＧ−Ｇ線断面図で、図１５は、図１４のＨ−Ｈ線断面図である。
【０１０９】
ここで、本発明による第４実施例の冷暖房パネルは、前記第１実施例の構成をすべて含むことを前提とする。
【０１１０】
従って、本発明による第４実施例の冷暖房パネルは、周りが塞がるように多数の屈曲板１１が直交方向に積層具備され、各々の屈曲板１１の間には屈曲拡散通路１２が形成されている放熱部１と、前記各屈曲拡散通路１２に流体が拡散移動されるように流体を供給、排出させる流体供給・排出手段２とで構成された冷暖房パネルを改良したもので、前記各上部凹部１２１の流体移動断面積が各下部凹部１２１の流体移動断面積より小さく形成されていることを特徴とする。
【０１１１】
そして、本発明による第４実施例の冷暖房パネルは、温水や冷媒の流体だけを使用するもので、以下第４実施例を説明するにおいて、流体は温水または冷媒に限定する。
【０１１２】
また、前記流体供給管２１の流体移動断面積は、前記各々の上部凹部１２１の流体移動断面積の合計より大きく形成されるのである。
【０１１３】
つまり、前記各々の上部凹部１２１の横断面の流体移動断面積の合計を、前記流体供給管２１の流体移動断面積より小さく形成する場合、上部凹部１２１の各横断面の流体移動断面積を減らしたり、上部凹部１２１の数を減らすことによって可能である。
【０１１４】
添付の図面では、前記上部凹部１２１の高さを下部凹部１２１の高さより相対的に低く構成して、各上部凹部１２１の流体移動断面積を流体供給管２１の流体移動断面積より小さく減らした状態を示した。
【０１１５】
また、前記流体供給・排出手段２を構成する流体供給管２１は、一番前方に横方向に具備された下部凹部１２１の一側に具備され、前記流体供給・排出手段２を構成する流体排出管２２は、一番他側に縦方向に具備された上部凹部１２１の後方に具備されている。
【０１１６】
一方、前記流体供給管２１の高さより流体排出管２２の高さを相対的に高く具備することによって、屈曲拡散通路１２に流体が供給されない場合、既に満たされた流体の水位が低くなるのを防止して、ボイラーまたは冷却装置の再稼動初期に気泡が発生する現象を最少化することができるのである。
【０１１７】
また、前記放熱部１の上、下部には上、下板３、４を更に具備することによって、マット形の冷暖房パネルを提供することができるのである。
【０１１８】
以下、前記のように構成された本発明による第４実施例の冷暖房パネルの作用を説明すると、つぎの通りである。
【０１１９】
図１１ないし図１５に示したように、前記のように構成された冷暖房パネルを床に施工した後、ボイラーを作動させて屈曲拡散通路１２に流体を投入することになると、流体は屈曲拡散通路１２に満たされて拡散された後、流体排出管２２を介して排出され、前記流体の投入と排出過程は、ボイラーの作動を介して連続的に進行される。
【０１２０】
これを具体的に説明すると、下屈曲板１１の前方に位置した下部凹部１２１の一側から流体が供給されると、供給された流体は、屈曲拡散通路１２で拡散された後、上屈曲板１１の一番他側上部凹部１２１の後方に具備された流体排出管２２を介して排出されるのである。
【０１２１】
前記のように流体が拡散される過程では、前記各々の上部凹部１２１の流体移動断面積の合計が、流体供給管２１の流体移動断面積より小さく形成されることによって、各上部凹部１２１の上部に空気層が形成されるのを防止することができるのである。
【０１２２】
つまり、前記上部凹部１２１の流体移動断面積の合計より大きな流体供給管２１に流体が供給されると、供給された流体は重力によって下部凹部１２１に満たされる。
【０１２３】
次に、流体が継続して供給されると、流体は各々の上部凹部１２１の境界部に衝突する過程を通じて上部凹部１２１に案内される。
【０１２４】
次に、上部凹部１２１に案内された流体は、流体供給管２１から一番近接した上部凹部１２１から一番遠い上部凹部１２１に満たされながら、流体排出管２２から排出される。
【０１２５】
つまり、前記のように、供給された流体が上部凹部１２１に満たされる過程で、流体は、各々の下部凹部１２１を通過し、各々の上部凹部１２１を通過して満たされる。つまり、供給される流体は、供給水圧によって屈曲拡散通路１２に満たされながら、既に投入された流体を押すことになる。従って、供給された流体は、各々の下部凹部１２１と各々の上部凹部１２１を通過しながら満たされることになる。
【０１２６】
従って、前記のように各々の上部凹部１２１の流体移動断面積の合計が、流体供給管２１の流体移動断面積より小さくなると、流体供給管２１を介して供給される流体の供給水圧によって上部凹部１２１を通過する場合、圧力が上昇される。つまり、上部凹部１２１の全体流体移動断面積が流体供給管２１の流体移動断面積より小さいことによって、上部凹部１２１を流体が通過する場合、圧力が上昇される。言い換えると、流体供給管２１と上部凹部１２１では相対的な圧力差が生じることによって、上部凹部１２１を移動する流体の圧力が流体供給管２１を介して供給される流体の圧力より高くなる。
【０１２７】
よって、各上部凹部１２１に満たされる上昇された圧力を有した流体は、各上部凹部１２１の空間にすべて満たされるのである。従って、流体が投入されて流体排出管から排出される過程で、常に各々の上部凹部１２１には流体が満たされているのである。
【０１２８】
補充説明すると、供給される流体と排出される流体は常に量が同一であるのだが、上述したように、流体は流体供給管２１を通過する時より、上部凹部１２１を通過する場合に圧力が上昇される。従って、各上部凹部１２１を通過する流体は、圧力を有することによって、各上部凹部１２１の空気が溜まった空間を満たしながら拡散されるのである。
【０１２９】
そして、空間に溜まっていた空気は、流体の押す力によって気泡化されて排出口から排出される。つまり、空気気泡の排出は、屈曲拡散通路に流体が満たされていない状態である初期稼動時にだけ排出される。
【０１３０】
従って、前記上部凹部１２１の上部に空気層が形成されるのを防止することによって、暖房効率を最大に向上させることができるのである。
【０１３１】
図１６は、本発明による第５実施例の冷暖房パネルを示した分解斜視図で、図１７は、本発明による第５実施例の冷暖房パネルを示した斜視図で、図１８は、図１７のＩ−Ｉ線断面図である。
【０１３２】
ここで、本発明による第５実施例の冷暖房パネルは、多数の横形凹部６１の具備された屈曲板６と、前記屈曲板６の上部におかれる上板７と、前記屈曲板６と上板の周りを塞ぐ周囲遮断板８と、前記屈曲板６と上板７の間に具備され、横形凹部６１を相互連通させる流体連通手段９と、前記周囲遮断板８に具備され、屈曲板６の横形凹部６１に流体が拡散移動されて排出されるように具備された流体供給、排出管８１，８２とで構成される。
【０１３３】
そして、前記屈曲板６は、単一の板が折り曲げられて構成されることができ、前記横形凹部６１が陥没するように具備され、下面が平坦面に構成されることができるのだが、第５実施例の図面では、単一の板が折り曲げられて構成された屈曲板６を示した。
【０１３４】
前記流体供給管８１は、屈曲板６の一番前方の横形凹部６１の一側に具備されており、前記流体排出管８２は、屈曲板６の一番後方の横形凹部６１の他側に具備されている。そして、前記流体供給管８１には、ボイラーや温風器または冷風器が連結されて、温水や冷媒または温風や冷風の流体が供給されるのである。
【０１３５】
また、前記流体連通手段９は、前記横形凹部６１の間に形成された各横形凸部６２に一つ以上に形成された陥没溝９１で構成されるものである。
【０１３６】
そして、前記各横形凸部６２に具備された各陥没溝９１は、多数に形成され；前記各横形凸部６２に多数に形成された各陥没溝９１は、隣り合う横形凸部６２に具備された各陥没溝９１に対して食い違いに具備されるのである。
【０１３７】
つまり、前記各陥没溝９１は、前方に位置した横形凹部６１から流体が流入された後、つぎの列の横形凹部６１に流体が移動されるように具備されたもので、各陥没溝９１は、縦方向の長溝に形成されているものである。
【０１３８】
一方、前記屈曲板６の下部には下板１０が更に具備されていることによって、冷暖房パネルを安定的に施工することができるのは勿論、冷暖房パネルを裏返して施工することもできるのである。
【０１３９】
以下、前記のように構成された本発明による第５実施例の冷暖房パネルの作動関係を説明すると、つぎの通りである。
【０１４０】
図１６ないし図１８に示したように、前記のように構成された冷暖房パネルを床に施工した後、ボイラーや温風器または冷風器を使用して温水や冷媒または温風や冷風を供給することになると、流体供給管８１を介して流入された流体は、各横形凹部６１と各横形凹部６１を相互連結する陥没溝９１を介して上板７と屈曲板６の間に形成された空間に拡散された後、流体排出管８２を介して排出される過程が進行される。
【０１４１】
従って、流体が冷暖房パネルの内部で拡散移動されながら排出される過程を介して、室内空間を暖房したり冷房することができるのである。
【０１４２】
つまり、前記流体供給管８１を介して供給された流体は、一番前方の横形凹部６１に沿って水平に移動された後、後方の横形凸部６２に形成された多数の陥没溝９１を通過し、後方の横形凹部６１に移動する過程を繰り返すことによって、供給された流体は上述した冷暖房パネルの内部空間に全体的に拡散されるようになるのである。
【０１４３】
そして、前記のように流体が移動される過程では、流体が各横形凹部６１の空間すべてに満たされながら拡散されて移動することによって、放熱効果を最大に向上させることができるのである。
【０１４４】
また、上面が平坦な上板７を屈曲板６の上部に具備することによって、別途の上板を施工せずとも、そのまま室内空間の床に敷く過程だけを通じて冷暖房パネルを施工することができるという長所も有するのである。
【０１４５】
また、前記のように冷暖房パネルの内部で流体が拡散される過程では、上記各横形凸部６２に具備された各陥没溝９１が、隣り合う横形凸部６２に具備された各陥没溝９１に対して食い違いに具備されることによって、流体が各横形凸部６２を通過する過程で、各横形凹部６１で渦巻きが生じることになる。
【０１４６】
従って、前記のように、各陥没溝９１で渦巻きが生じることによって、流体の滞留時間が長くなることにより、放熱効果を最大に向上させることができるのである。
【０１４７】
一方、前記各横形凸部６２に形成された各陥没溝９１の横断面積の合計は、前記各横形凹部６１一つの縦断面積より小さく具備されることによって、供給された流体は、一番前方から満たされた後、順次的に後方の横形凹部６１まで満しながら拡散されるのである。
【０１４８】
つまり、流体が冷暖房パネルの内部空間に全体的に満たされながら拡散されることによって、放熱効果を最大に高めることができるのである。
【０１４９】
図１９は、本発明による第６実施例の冷暖房パネルを示した分解斜視図で、図２０は、本発明による第６実施例の冷暖房パネルを示した斜視図で、図２１は、図２０のＪ−Ｊ線断面図である。
【０１５０】
ここで、本発明による第６実施例の冷暖房パネルは、前記第５実施例の冷暖房パネルのうち流体連通手段９を除く他の構成は、上述した第５実施例の構成と同一であることを前提とする。
【０１５１】
本発明による第６実施例の冷暖房パネルを構成する流体連通手段９は、前記横形凹部６１の間に形成された各横形凸部６２が密着される上板７下面の多数の横列に各々形成される一つ以上の上部陥没溝９２で構成されるのである。
【０１５２】
そして、前記上板７下面の多数の横列に各々形成される各上部陥没溝９２は、多数に形成されているのである。
【０１５３】
並びに、前記多数の横列に各々形成される各上部陥没溝９２は、隣り合う横列に具備された各上部陥没溝９２に対して食い違いに具備されるのである。
【０１５４】
また、つまり前記各上部陥没溝９２は、前方に位置した横形凹部６１から流体が流入された後、つぎの列の横形凹部６１に流体が移動されるように具備されるもので、各上部陥没溝９２は、縦方向の長溝に形成されるのである。
【０１５５】
従って、前記のように構成された第６実施例の冷暖房パネルは、流体供給管８１を介して供給された流体が、一番前方の横形凹部６１に沿って水平に移動された後、後方の横形凸部６２の上部である上板に形成された上部陥没溝９２を通過して後方の横形凹部６１に移動する過程を繰り返すことによって、供給された流体は、上述した冷暖房パネルの内部空間に全体的に拡散されることになるのである。
【０１５６】
従って、第５実施例の冷暖房パネルのように、冷暖房パネルの放熱効果を最大に向上させることができ、別途の上板を施工せずとも、そのまま室内空間の床に冷暖房パネルを敷く過程だけを介して、冷暖房パネルを施工することができるという長所を有するのである。
【０１５７】
また、前記のように冷暖房パネルの内部で流体が拡散される過程では、前記上板７の下面に多数の横列で形成された各列の各上部陥没溝９２が隣り合う列に具備された各上部陥没溝９２に対して食い違いに具備されることによって、流体が各横形凸部６２を通過する過程で、各横形凹部６１で渦巻きが生じることになる。
【０１５８】
従って、上述した第５実施例でのように、各上部陥没溝９２で渦巻きが生じることによって、流体の滞留時間が長くなることにより、放熱効果を最大に向上させることができるのである。
【０１５９】
一方、前記上板７の各横列に形成された各上部陥没溝９２の横断面積の合計は、前記各横形凹部６１一つの縦断面積より小さく具備されることによって、供給された流体は一番前方から満たされた後、順次的に後方の横形凹部６１まで満たされながら拡散されるのである。
【０１６０】
つまり、流体が冷暖房パネルの内部空間に全体的に満たされながら拡散されるのである。
【０１６１】
図２２は、本発明による第７実施例の冷暖房パネルを示した分解斜視図で、図２３は、本発明による第７実施例の冷暖房パネルを示した斜視図で、図２４は、図２３のＫ−Ｋ線断面図である。
【０１６２】
ここで、本発明による第７実施例の冷暖房パネルは、屈曲板６の構成と流体連通手段９の構成を除く残りの構成は、第５実施例の構成と同一であることを前提とする。
【０１６３】
本発明による第７実施例の屈曲板６は、単一の板が折り曲げられて構成されることができ、前記横形凹部６１が陥没するように具備され、下面が平坦面に構成されることもできるのだが、第７実施例の図面では、横形凹部６１が陥没するように具備され、下面が平坦面に構成された状態の屈曲板６を示した。
【０１６４】
また、本発明による第７実施例の流体連通手段９は、前記横形凹部６１の間に形成された各横形凸部６２を貫通する一つ以上の流体通路９３で構成されるのを特徴とする。
【０１６５】
そして、前記各横形凸部６２に貫通具備された各流体通路９３は、多数に構成され、前記各横形凸部６２に多数に形成された各流体通路９３は、隣り合う横形凸部６２に具備された各流体通路９３に対して食い違いに具備されるのである。
【０１６６】
従って、前記のように構成された第７実施例の冷暖房パネルは、流体供給管８１を介して供給された流体が、一番前方の横形凹部６１に沿って水平に移動した後、後方の横形凸部６２に形成された多数の流体通路９３を通過し、後方の横形凹部６１に移動される過程を繰り返すことによって、供給された流体は上述した冷暖房パネルの内部空間に全体的に拡散されるのである。
【０１６７】
従って、第５実施例の冷暖房パネルのように、冷暖房パネルの放熱効果を最大に向上させることができ、別途の上板を施工せずとも、そのまま室内空間の床に冷暖房パネルを敷く過程だけを介して冷暖房パネルを施工することができるという長所を有するのである。
【０１６８】
また、前記のように冷暖房パネルの内部で流体が拡散される過程で、前記各横形凸部６２に貫通具備された各流体通路９３は、隣り合う横形凸部６２に具備された各流体通路９３に対して食い違いに具備されることによって、流体が各横形凸部６２を通過する過程で各横形凹部６１で渦巻きが生じることになる。
【０１６９】
従って、上述した第５実施例のように、各流体通路９３で渦巻きが生じることによって、流体の滞留時間が長くなることにより、放熱効果を最大に向上させることができるのである。
【０１７０】
一方、前記各横形凸部６２に形成された各流体通路９３の横断面積の合計は、前記各横形凸部６１一つの縦断面積より小さく具備されることによって、供給された流体は一番前方から満たされた後、順次的に後方の横形凹部６１まで満たされながら拡散されるのである。
【０１７１】
つまり、流体が冷暖房パネルの内部空間に全体的に満たされながら拡散されることによって、放熱効果を最大に向上させることができるのである。
【図１】
2010500532.tif 000003
【図２】
2010500532.tif 000004
【図３】
2010500532.tif 000005
【図４】
2010500532.tif 000006
【図５】
2010500532.tif 000007
【図６】
2010500532.tif 000008
【図７】
2010500532.tif 000009
【図８】
2010500532.tif 000010
【図９】
2010500532.tif 000011
【図１０】
2010500532.tif 000012
【図１１】
2010500532.tif 000013
【図１２】
2010500532.tif 000014
【図１３】
2010500532.tif 000015
【図１４】
2010500532.tif 000016
【図１５】
2010500532.tif 000017
【図１６】
2010500532.tif 000018
【図１７】
2010500532.tif 000019
【図１８】
2010500532.tif 000020
【図１９】
2010500532.tif 000021
【図２０】
2010500532.tif 000022
【図２１】
2010500532.tif 000023
【図２２】
2010500532.tif 000024
【図２３】
2010500532.tif 000025
【図２４】
2010500532.tif 000026
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
周りが塞がるように多数の屈曲板が直交方向に積層具備され、各々の屈曲板の間には屈曲拡散通路が形成されている放熱部と、
前記各屈曲拡散通路に流体が拡散移動されるように流体を供給、排出させる流体供給・排出手段とを含むことを特徴とする冷暖房パネル。
【請求項２】
前記各々の屈曲拡散通路は、
各々の上、下部に位置した屈曲板に多数形成され、相互直角に交差するように連通される上、下部凹部と、
各々の上、下部に位置した屈曲板の周りを塞ぐ周囲遮断板とを含むことを特徴とする特許請求の範囲第１項に記載の冷暖房パネル。
【請求項３】
前記屈曲拡散通路が単一に具備されており、
前記流体供給・排出手段は、前記単一の屈曲拡散通路で相互反対の位置に具備された管を介して流体が供給されて拡散された後、排出されるようにする流体供給、排出管で構成されていることを特徴とする特許請求の範囲第２項に記載の冷暖房パネル。
【請求項４】
前記流体供給管の流体移動断面積は、
前記各々の上部凹部の流体移動断面積の合計より大きく形成されていることを特徴とする特許請求の範囲第３項に記載の冷暖房パネル。
【請求項５】
前記流体供給管の高さより流体排出管の高さを相対的に高く具備することを特徴とする特許請求の範囲第３項に記載の冷暖房パネル。
【請求項６】
前記屈曲拡散通路が二つ以上に具備されており；
前記流体供給・排出手段は、一番下部に位置された屈曲拡散通路に具備され、管を介して流体が供給される流体供給管と、各層の屈曲拡散通路に流体が拡散移動されることができるように形成された流体移動ホール、及び一番上部に位置された屈曲拡散通路に具備され、管を介して流体が排出される流体排出管から構成されていることを特徴とする特許請求の範囲第２項に記載の冷暖房パネル。
【請求項７】
前記各上部凹部の流体移動断面積が前記各下部凹部の流体移動断面積より小さく形成されていることを特徴とする特許請求の範囲第３項または第５項に記載の冷暖房パネル。
【請求項８】
前記各々の屈曲拡散通路を構成する上部凹部の流体移動断面積の合計が、前記各下部凹部の流体移動断面積より小さく形成されていることを特徴とする特許請求の範囲第７項に記載の冷暖房パネル。
【請求項９】
前記放熱部の上部に具備され、一番上部に位置した屈曲板との間に多数の陥没空間を形成する上板を含むことを特徴とする特許請求の範囲第１項ないし第６項のいずれかに記載の冷暖房パネル。
【請求項１０】
前記上部に形成された陥没空間には、発熱量を高めることができるように蓄熱材が更に具備されていることを特徴とする特許請求の範囲第９項に記載の冷暖房パネル。
【請求項１１】
前記放熱部の下部に具備され、一番下部に位置した屈曲板との間に多数の陥没空間を形成する下板を含むことを特徴とする特許請求の範囲第１項ないし第６項のいずれかに記載の冷暖房パネル。
【請求項１２】
前記下部に形成された陥没空間には断熱材が更に具備されていることを特徴とする特許請求の範囲第１１項に記載の冷暖房パネル。
【請求項１３】
多数の横形凹部が具備された屈曲板と、
前記屈曲板の上部におかれる上板と、
前記屈曲板と上板の周りを塞ぐ周囲遮断板と、
前記屈曲板と上板の間に具備され、横形凹部を相互連通させる流体連通手段と、
前記周囲遮断板に具備され、屈曲板の横形凹部に流体が拡散移動され、排出されるように具備された流体供給、排出管とで構成されていることを特徴とする冷暖房パネル。
【請求項１４】
前記屈曲板は、
単一の板が折り曲げられて構成されていることを特徴とする特許請求の範囲第１３項に記載の冷暖房パネル。
【請求項１５】
前記屈曲板は、
前記横形凹部が陥没するように具備され、下面が平坦面で構成されていることを特徴とする特許請求の範囲第１３項に記載の冷暖房パネル。
【請求項１６】
前記流体連通手段は、
前記横形凹部の間に形成された各横形凸部に一つ以上形成された陥没溝で構成されていることを特徴とする特許請求の範囲第１３項ないし第１５項のいずれかに記載の冷暖房パネル。
【請求項１７】
前記各横形凸部に形成された各陥没溝の横断面積の合計は、
前記各横形凹部一つの縦断面積より小さく具備されていることを特徴とする特許請求の範囲第１６項に記載の冷暖房パネル。
【請求項１８】
前記流体連通手段は、
前記横形凹部の間に形成された各横形凸部が密着される上板下面の多数の横列に各々形成される一つ以上の上部陥没溝で構成されていることを特徴とする特許請求の範囲第１３項ないし第１５項のいずれかに記載の冷暖房パネル。
【請求項１９】
前記上板の各横列に形成された各上部陥没溝の横断面積の合計は、
前記各横形凹部一つの縦断面積より小さく具備されていることを特徴とする特許請求の範囲第１８項に記載の冷暖房パネル。
【請求項２０】
前記流体連通手段は、
前記横形凹部の間に形成された各横形凸部を貫通する一つ以上の流体通路で構成されていることを特徴とする特許請求の範囲第１３項ないし第１５項のいずれかに記載の冷暖房パネル。
【請求項２１】
前記各横形凸部に多数形成された各流体通路の横断面積の合計は、
前記各横形凹部一つの縦断面積より小さく具備されていることを特徴とする特許請求の範囲第２０項に記載の冷暖房パネル。
【国際調査報告】
2010500532.tif 000027
2010500532.tif 000028